(57)【特許請求の範囲】
【請求項１】
永久磁石を使用する電動パワーステアリングモータコアであって、そのモータコア材として、重量％でC：0.005％以下、Si：4％以下、Al：1％以下、S：0.03％以下、Mn：0.05〜1.5％、P：0.2％以下、N：0.005％以下を含み、さらにCaを0.5≦Ca／S≦3の範囲で含有し、残部Feおよび不可避的不純物からなり、ヒステリシス損が0.049J/kg以下である鋼板を用いた電動パワーステアリングモータコア。
【発明の詳細な説明】
【０００１】
【発明の属する技術分野】
本発明は、自動車のパワーステアリングシステムにおける、電動パワーステアリングモータコアに関するものである。
【０００２】
【従来の技術】
自動車のパワーステアリングシステムは、自動車の消費エネルギーの3〜5％を占め、エアコンと並んでエネルギー消費の多い装置である。従来のパワーステアリングシステムは油圧により操舵を補助していたが、本システムでは油圧ポンプが常にエンジンにより駆動されているため、直進走行時にもエネルギーが消費されるという問題があった。この無駄を解消するため、モータにより操舵を補助する電動パワーステアリング（以下、EPSと略す）システムが開発されている。EPSシステムではコーナリング時等の操舵補助が必要なときのみモータに電流を流しパワーをアシストするため、油圧システムに比べ燃費が2〜3％程度向上する。
【０００３】
【発明が解決しようとする課題】
ところで、このようなEPSシステムにおいては、小型、高トルクの観点から永久磁石を使用するPMモータが使用されている。しかし、PMモータでは操舵後、比較的大きなロストルクが生じることから、旋回後直進状態になるまでに時間遅れが発生し、このため操舵感が油圧方式に比べ劣るという問題があった。
【０００４】
本発明はこのような問題点を解決するためになされたもので、ロストルクが小さい、EPSモータコアを提供することを課題とする。
【０００５】
【課題を解決するための手段】
本発明の骨子は、CaをCa／Sとして適量添加し良好なヒステリシス特性を有する無方向性珪素鋼板を用いることにより、ロストルクが小さいEPSモータコアを得ることにある。
【０００６】
すなわち、前記課題を解決するための手段は、永久磁石を使用する電動パワーステアリングモータコアであって、そのモータコア材として、重量％でC：0.005％以下、Si：4％以下、Al：1％以下、S：0.03％以下、Mn：0.05〜1.5％、P：0.2％以下、N：0.005％以下を含み、さらにCaを0.5≦Ca／S≦3の範囲で含有し、残部Feおよび不可避的不純物からなり、ヒステリシス損が0.049J/kg以下である鋼板を用いた電動パワーステアリングモータコアである。
【０００７】
本明細書において、鋼の成分を示す％はすべて重量％であり、ppmも重量ppmである。
【０００８】
【発明の実施の形態】
本発明者らがEPSモータコア材として好適な材料すなわちロストルクが小さい材料について検討した結果、このロストルクは機械損とコア材料のヒステリシス損に起因することを見いだした。さらにEPSモータコア材としてヒステリシス損の低い材料について検討を進めた結果、無方向性珪素鋼板が最適であり、特にCaをCa／Sとして適量添加した鋼板を用いることで良好なヒステリシス特性を有する材料が得られることを見いだした。
【０００９】
以下、本発明に至る経緯を実験結果に基づいて詳細に説明する。
最初に、ヒステリシス損に及ぼすCa／Sの影響を調査するため、C：0.0025％、Si：0.20％、Mn：0.30％、P：0.10％、Al=0.20％、S＝0.0020％、N=0.0020％とし、Ca量をtr.〜70ppmの範囲で変化させた鋼をラボ溶解し、熱延後、酸洗を行った。その後、板厚0.50mmまで冷間圧延し、10％H2-90％N2雰囲気で800℃×1min間の仕上焼鈍を行ない、さらに100％N2雰囲気で750℃×2hrの磁性焼鈍を施した。図1に、このようにして得られたサンプルのCa／Sと1.5Tまで磁化した場合の周波数1Hz当たりのヒステリシス損の関係を示す。ここで磁気特性の測定は25cmエプスタイン法にて行い、ヒステリシス損は50、60Hzの鉄損より2周波法にて計算した。
【００１０】
図1より、Ca／Sが、0.5〜3.0の範囲のときに、ヒステリシス損が大幅に低下することがわかる。これは、CaがMnSよりも化学的に安定な硫化物を形成し、スラブ加熱時に再固溶せず、粗大な硫化物を形成して磁性焼鈍時の粒成長を向上させる効果によるものである。Ca／S＜0.5では、Sを硫化物として固定するためのCaが不十分となりMnSが形成され、ヒステリシス損が増大する。一方、Ca／S＞3.0では、過剰のCaが鋼中の酸化物と反応して微細なCaOが生成され、粒成長を妨げるためヒステリシス損が増大する。以上より、本発明ではCa をCa／S：0.5以上3以下の範囲で含有させる。
【００１１】
次に、その他の成分の限定理由について説明する。
Siは鋼板の固有抵抗を上げるために有効な元素であるが、4％を超えると磁束密度が低下しEPSモータを駆動する際のトルクが低下するため、上限を4％とした。なおモータ駆動時のトルクとはモータに電流を流している際のトルクである。
【００１２】
AlはSiと同様、固有抵抗を上げるために有効な元素であるが、1％を超えると磁束密度が低下しEPSモータを駆動する際のトルクが低下するため上限を1％とした。
【００１３】
Cは0.005％超えでは磁束密度が低下し、EPSモータを駆動する際のトルクが低下するため0.005％以下とする。
【００１４】
Mnは熱間圧延時の赤熱脆性を防止するために0.05％以上必要であるが、1.5％超えになると磁束密度の低下を招き、EPSモータを駆動する際のトルクが低下するため0.05〜1.5％とした。
【００１５】
Pは鋼板の打ち抜き性を改善するために必要な元素であるが、0.2％を超えて添加すると鋼板が脆化するため0.2％以下とした。
【００１６】
Nは0.005％超えになるとヒステリシス損を増大させるため0.005％以下とした。
【００１７】
Sは、その混入量が0.03％超えになるとCaを添加してもヒステリシス損の改善が期待できないので0.03％以下とする必要がある。
【００１８】
次に電動パワーステアリングモータコア用鋼板の製造方法について説明する。
本発明においては、成分およびCa／Sが所定の範囲内であれば、製造方法は通常の方法でかまわない。すなわち、転炉で吹練した溶鋼を脱ガス処理し所定の成分に調整し、引き続き鋳造、熱間圧延を行う。熱間圧延時の仕上焼鈍温度、巻取り温度は特に規定する必要はなく、通常でかまわない。また、熱延後の熱延板焼鈍は行っても良いが必須ではない。次いで一回の冷間圧延、もしくは中間焼鈍をはさんだ2回以上の冷間圧延により所定の板厚とした後、仕上焼鈍を行なう。仕上焼鈍後の磁性焼鈍は行なってもよいが必須ではない。
【００１９】
【実施例】
転炉で吹練した溶鋼を脱ガス処理し表1の成分に調整後鋳造し、スラブを1140℃で1hr加熱した後、板厚2.3mmまで熱間圧延を行った。熱延仕上げ温度は800℃とし、巻取り温度は680℃とした。その後、板厚0.50mmまで冷間圧延を行い、10％H2-90％N2雰囲気で表1に示す条件で仕上焼鈍を行った。さらに、100％N2雰囲気で750℃×2hrの磁性焼鈍を施した。
【００２０】
磁気特性の測定は25cmエプスタイン法にて行った。ヒステリシス損は、1.5Tまで磁化した場合の周波数1Hz当たりのヒステリシス損とし、エプスタイン法にて得られた50、60Hzの鉄損より2周波法にて計算して評価した。各鋼板の磁気特性を表1に併せて示す。
【００２１】
【表１】
0004019577.tif 000002
【００２２】
これより、成分およびCa／Sを本発明の範囲に制御したNo.1〜No.3の本発明鋼は、ヒステリシス損が低く磁束密度が高い鋼板が得られている事が分かる。
【００２３】
これに対し、No.4の比較鋼はSの量が、本発明の範囲を外れているので、ヒステリシス損が高くかつ磁束密度が低くなっている。No.5の比較鋼はCa／Sが、本発明の範囲を外れ低くなっているので、ヒステリシス損が高くかつ磁束密度が低くなっている。No.6の比較鋼はCa／Sが、本発明の範囲を外れ高くなっているので、ヒステリシス損が高くなっている。
【００２４】
また、No.7の比較鋼はCの量が、No.8の比較鋼はSiの量が、No.9の比較鋼はMnの量が、それぞれ本発明の範囲を外れているので、磁束密度が低くなっている。No.10の比較鋼はNの量が、本発明の範囲を外れているので、ヒステリシス損が高くかつ磁束密度が低くなっている。No.11の比較鋼はAlの量が、本発明の範囲を外れているので、磁束密度が低くなっている。
【００２５】
【発明の効果】
以上述べたように、本発明によればヒステリシス損の低い鋼板を得ることができ、EPSモータのロストルク低減に効果的な電動パワーステアリングモータコアを得ることができる。
【００２６】
さらに、高磁束密度が得られるので、モータ駆動時に高トルクが得られ操舵性にも優れる。
【図面の簡単な説明】
【図１】  Ca／Sとヒステリシス損との関係を示す図である。
【図１】
0004019577.tif 000003